(57)【要約】【課題】１次ストレージ装置と２次ストレージ装置で階層を構成するストレージシステムにおいて、システムの構成ユニットの交換作業を軽減する。【解決手段】１次ストレージ装置（１）と２次ストレージ装置（４−１，４−２）とストレージプロセッサ（３）とで、階層を構成するストレージシステムにおいて、保守対象ユニット（４０，４４，３０）の取り付け口と保守対象ユニットとの間に、保守対象ユニットの識別子をエミュレートするエミュレート装置（５）を取り付け、保守対象ユニットを交換しても、ストレージシステムには、変更されたように見えないようにする。これにより、保守対象ユニットの交換時の煩雑な設定作業がなくなり、オペレーションミスを防止できる。また、エミュレート装置を保守対象ユニットに取り付けるため、外部からのアクセスできないようなセキュリティ機構を構成することもできる。【選択図】図１
2007094578.tif 000002
【特許請求の範囲】
【請求項１】
データ記憶部を有し、ホストからのアクセス要求を受け、前記記憶部にデータをリード／ライトして、ホストへ返送する１次ストレージ装置と、
データ記憶部を有し、前記１次ストレージ装置からのリード／ライト要求に応じて、データ記憶部のデータをリード／ライトする２次ストレージ装置と、
前記１次ストレージ装置と前記２次ストレージ装置との間に設けられ、前記１次ストレージ装置からの要求に対し、前記２次ストレージ装置に前記１次ストレージ装置のリード／ライト動作を仮想的に実行させるストレージプロセッサと、
少なくとも、前記２次ストレージ装置と前記ストレージプロセッサの一方の保守対象ユニットに接続され、前記保守対象ユニットの交換前の識別子と交換後の識別子の変換を行うエミュレート装置とを有し、
前記１次ストレージ装置と前記２次ストレージ装置との情報のやり取りにおいて、前記エミュレート装置が、前記保守対象ユニットの識別子の変換を行う
ことを特徴とするストレージシステム。
【請求項２】
前記エミュレート装置は、
前記２次ストレージ装置と前記ストレージプロセッサの一方の保守対象ユニットに接続されたことを検出し、前記保守対象ユニットの識別子を取得して格納し、
前記保守対象ユニットが交換されたことを検出して、前記交換後の前記保守対象ユニットの識別子を取得し、交換前の前記識別子に対応して、前記交換後の識別子を格納する
ことを特徴とする請求項１のストレージシステム。
【請求項３】
前記エミュレート装置は、
前記１次ストレージ装置又は前記ストレージプロセッサに接続するための第１のポートと、
前記保守対象ユニットに接続するための第２のポートと、
交換前の前記識別子に対応して、前記交換後の識別子を格納するテーブルと、
前記１次ストレージ装置と前記２次ストレージ装置との情報のやり取りにおいて、前記テーブルを参照して、前記保守対象ユニットの識別子の変換を行う処理ユニットとを有する
ことを特徴とする請求項１のストレージシステム。
【請求項４】
データ記憶部を有し、ホストからのアクセス要求を受け、前記記憶部にデータをリード／ライトして、ホストへ返送する１次ストレージ装置と、データ記憶部を有し、前記１次ストレージ装置からのリード／ライト要求に応じて、データ記憶部のデータをリード／ライトする２次ストレージ装置と、前記１次ストレージ装置と前記２次ストレージ装置との間に設けられ、前記１次ストレージ装置からの要求に対し、前記２次ストレージ装置に前記１次ストレージ装置のリード／ライト動作を仮想的に実行させるストレージプロセッサとを有するストレージシステムの構成部品交換処理方法であって、
少なくとも、前記２次ストレージ装置と前記ストレージプロセッサの一方の保守対象ユニットに、エミュレート装置を接続し、前記保守対象部品の識別子を取得するステップと、
前記保守対象部品の交換後、前記１次ストレージ装置と前記２次ストレージ装置との情報のやり取りにおいて、前記エミュレート装置により、前記保守対象ユニットの識別子の変換を行うステップとを有する
ことを特徴とするストレージシステムの構成部品交換処理方法。
【請求項５】
操作端末を、前記１次ストレージ装置、前記２次ストレージ装置及び前記ストレージプロセッサに接続するステップと、
前記操作端末により、前記保守対象ユニットの交換前に、前記保守対象ユニットへのアクセスを抑止するステップと、
前記保守対象ユニットの交換後、前記保守対象ユニットへのアクセス抑止を解除するステップとを更に有する
ことを特徴とする請求項４のストレージシステムの構成部品交換処理方法。
【発明の詳細な説明】
【技術分野】
【０００１】
本発明は、１次ストレージ装置と２次ストレージ装置とを有するストレージシステム及びその構成部品交換処理方法に関し、特に、１次ストレージ装置の動作を停止することなく、２次ストレージ装置の構成部品を交換するためのストレージシステム及びその構成部品交換処理方法に関する。
【背景技術】
【０００２】
近年のデータの電子化の傾向により、データを記憶、保持するストレージシステムは、大容量化や確実なデータ保存が要求されている。このような要請から、バーチャルディスクライブラリ装置が提供されている。このバーチャルデイスクライブラリ装置は、1次ストレージ装置に、磁気デイスクドライブを多数収容したデイスクストレージ装置と、２次ストレージ装置に、保存性の優れた磁気テープを使用したテープストレージ装置とを組合せて構成している。
【０００３】
このバーチャルデイスクライブラリ装置を、図１２で説明する。図１２に示すように、バーチャルデイスクライブラリ装置は、ホストコンピュータ１００に接続されるデイスクストレージ装置２００と、ストレージエリアネットワークを構築するファイバスイッチ３００，３０２と、テープストレージ装置５００，５５０と、デイスクストレージ装置２００とテープストレージ装置５００，５５０の間に位置し、テープストレージ装置５００，５５０に仮想デイスクの機能を付与するストレージサーバ４００とで構成される。
【０００４】
このデイスクストレージ装置２００は、ホスト１００とのインタフェースであるホストチャネルアダプタ２０２と、制御部（コントロールマネージャ）２０４と、サーバチャネルアダプタ２０６を備える一対のストレージ制御ユニット２００，２０２と、大量の磁気デイスクドライブ２２０を有する。
【０００５】
一方、テープストレージ装置５００，５５０は、大量の磁気テープ５２０，５７０と、この磁気テープ５２０，５７０をドライブし、磁気テープのデータをリード／ライトするテープドライブ５１０、５６０と、所望の磁気テープ５２０，５７０をテープドライブ５１０，５６０に移送するロボット５３０，５８０とを有する（例えば、特許文献１参照）。
【０００６】
このデイスクストレージ装置２００とテープストレージ装置５００，５５０に、汎用のものを使用するため、デイスクストレージ装置２００とテープストレージ装置５００，５５０の間に、テープストレージ装置５００，５５０に仮想デイスクの機能を付与するストレージサーバ４００を設ける。
【０００７】
ストレージサーバ４００は、ファイバスイッチ３００，３２０を介しデイスクストレージ装置２００と接続するためのホストバスアダプタ４２２と、ファイバスイッチ３００，３２０を介しテープストレージ装置５００，５５０と接続するためのホストバスアダプタ４２４とを有する一対のサーバユニット４２０，４４０で構成される。
このデイスクストレージ装置２００、ファイバスイッチ３００，３２０、ストレージサーバ４００、テープストレージ装置５００，５５０は、ＬＡＮ（Ｌｏｃａｌ  Ａｒｅａ  Ｎｅｔｗｏｒｋ）で接続され、そのポート６００に、外部機器を接続できる。
【０００８】
このようなストレージシステムを、汎用のユニット２００，３００，３２０、４００、５００、５５０で構成しても、デイスクストレージ装置２００は、ホスト１００からのリード／ライトアクセスに高速に対応でき、一方、テープストレージ装置５００，５５０は、低価格で大容量のデータを格納でき、低価格で、大容量、高速な仮想ストレージシステムを構築できる。そのため、バーチャルディスクライブラリ装置専用の部品はなく、保守を行うときは、既存装置の部品を用いて、交換する。
【０００９】
従来、この部品交換するには、保守端末（例えば、パーソナルコンピュータ）７００を、ＬＡＮポート６００に接続し、各種の設定を行って、部品（例えば、テープドライブ、ロボット）の交換を行う。例えば、部品交換前後に、保守端末７００から、２次ストレージ装置５００，５５０の制御ソフトの設定、２次ストレージ装置５００，５５０のハードの設定、ストレージプロセッサー（ＰＷ）４００と１次ストレージ装置２００のドライバ設定、ストレージプロセッサー（ＰＷ）４００と２次ストレージ装置のドライバの設定、ストレージプロセッサー４００の制御ソフトの設定を行う。
【特許文献１】特開２００３−１５０３２２号公報
【発明の開示】
【発明が解決しようとする課題】
【００１０】
このような保守対象部品の交換を行う際には、前述のように、保守端末７００からの設定対象が沢山あり、保守端末のオペレータのオペレーションミスを誘発しやすい。このため、設定ミスにより、交換作業が長時間となり易く、且つユーザの使用開始までの時間が長くなり、ユーザに迷惑をかける。
【００１１】
又、ストレージシステム内部のストレージプロセッサー（ＰＷ）の再起動操作が必要であり、オペレーションミスをすると、マシンダウンに繋がる危険性がある。
【００１２】
従って、本発明の目的は、保守対象部品の交換のための設定作業を軽減するためのストレージシステム及びその構成部品交換処理方法を提供することにある。
【００１３】
又、本発明の他の目的は、汎用のユニットで、ストレージシステムを構築しても、保守対象部品の交換のための設定作業を軽減するためのストレージシステム及びその構成部品交換処理方法を提供することにある。
【００１４】
更に、本発明の他の目的は、保守対象部品の交換のための設定作業を軽減しつつ、外部からの不正なアクセスを防止するためのストレージシステム及びその構成部品交換処理方法を提供することにある。
【課題を解決するための手段】
【００１５】
この目的の達成のため、本発明のストレージシステムは、データ記憶部を有し、ホストからのアクセス要求を受け、前記記憶部にデータをリード／ライトして、ホストへ返送する１次ストレージ装置と、データ記憶部を有し、前記１次ストレージ装置からのリード／ライト要求に応じて、データ記憶部のデータをリード／ライトする２次ストレージ装置と、前記１次ストレージ装置と前記２次ストレージ装置との間に設けられ、前記１次ストレージ装置からの要求に対し、前記２次ストレージ装置に前記１次ストレージ装置のリード／ライト動作を仮想的に実行させるストレージプロセッサと、少なくとも、前記２次ストレージ装置と前記ストレージプロセッサの一方の保守対象ユニットに接続され、前記保守対象ユニットの交換前の識別子と交換後の識別子の変換を行うエミュレート装置とを有し、前記１次ストレージ装置と前記２次ストレージ装置との情報のやり取りにおいて、前記エミュレート装置が、前記保守対象ユニットの識別子の変換を行う。
【００１６】
又、本発明の構成部品交換処理方法は、データ記憶部を有し、ホストからのアクセス要求を受け、前記記憶部にデータをリード／ライトして、ホストへ返送する１次ストレージ装置と、データ記憶部を有し、前記１次ストレージ装置からのリード／ライト要求に応じて、データ記憶部のデータをリード／ライトする２次ストレージ装置と、前記１次ストレージ装置と前記２次ストレージ装置との間に設けられ、前記１次ストレージ装置からの要求に対し、前記２次ストレージ装置に前記１次ストレージ装置のリード／ライト動作を仮想的に実行させるストレージプロセッサとを有するストレージシステムの構成部品交換処理方法であって、少なくとも、前記２次ストレージ装置と前記ストレージプロセッサの一方の保守対象ユニットに、エミュレート装置を接続し、前記保守対象部品の識別子を取得するステップと、前記保守対象部品の交換後、前記１次ストレージ装置と前記２次ストレージ装置との情報のやり取りにおいて、前記エミュレート装置により、前記保守対象ユニットの識別子の変換を行うステップとを有する。
【００１７】
更に、本発明では、好ましくは、前記エミュレート装置は、前記２次ストレージ装置と前記ストレージプロセッサの一方の保守対象ユニットに接続されたことを検出し、前記保守対象ユニットの識別子を取得して格納し、前記保守対象ユニットが交換されたことを検出して、前記交換後の前記保守対象ユニットの識別子を取得し、交換前の前記識別子に対応して、前記交換後の識別子を格納する。
【００１８】
更に、本発明では、好ましくは、前記エミュレート装置は、前記１次ストレージ装置又は前記ストレージプロセッサに接続するための第１のポートと、前記保守対象ユニットに接続するための第２のポートと、交換前の前記識別子に対応して、前記交換後の識別子を格納するテーブルと、前記１次ストレージ装置と前記２次ストレージ装置との情報のやり取りにおいて、前記テーブルを参照して、前記保守対象ユニットの識別子の変換を行う処理ユニットとを有する。
【００１９】
更に、本発明では、好ましくは、前記エミュレート装置は、前記２次ストレージ装置と前記ストレージプロセッサの一方の保守対象ユニットが取り外されことを検出し、前記第１のポートから前記保守対象ユニットにアクセスする前記１次ストレージ装置又は前記ストレージプロセッサからの信号の受け付けを抑止し、前記保守対象ユニットが交換されたことを検出して、前記１次ストレージ装置又は前記ストレージプロセッサの受け付け抑止を解除する。
【００２０】
更に、本発明では、好ましくは、前記エミュレート装置は、前記２次ストレージ装置と前記ストレージプロセッサの一方の保守対象ユニットに接続されたことを検出し、前記保守対象ユニットのＷＷＮを取得して格納し、前記保守対象ユニットが交換されたことを検出して、前記交換後の前記保守対象ユニットのＷＷＮを取得し、交換前の前記ＷＷＮに対応して、前記交換後のＷＷＮを格納する。
【００２１】
更に、本発明では、好ましくは、前記１次ストレージ装置、前記２次ストレージ装置及び前記ストレージプロセッサに接続され、前記保守対象ユニットの交換前に、前記保守対象ユニットへのアクセスを抑止し、前記保守対象ユニットの交換後、前記保守対象ユニットへのアクセス抑止を解除する操作端末を更に有する。
【００２２】
更に、本発明では、好ましくは、前記２次ストレージ装置が、記憶テープをドライブするテープドライブと、前記テープドライブとテープ収容部との間で、前記記憶テープを移送するロボットを有し、前記エミュレート装置が、前記ストレージプロセッサと情報のやり取りを行う前記テープドライブ及び前記ロボットのいずれか１つに設けられた。
【００２３】
更に、本発明では、好ましくは、前記ストレージプロセッサは、前記１次ストレージ装置とのインタフェース回路を有し、前記エミュレート装置が、前記１次ストレージ装置と情報のやり取りを行う前記インタフェース回路に設けられた。
【００２４】
更に、本発明では、好ましくは、前記１次ストレージ装置が、デイスクストレージ装置で構成され、前記ストレージプロセッサは、前記２次ストレージ装置を仮想デイスク制御する。
【００２５】
更に、本発明では、好ましくは、前記２次ストレージ装置が、記憶テープをドライブするテープドライブと、前記テープドライブとテープ収容部との間で、前記記憶テープを移送するロボットを有する。
【発明の効果】
【００２６】
階層構成のストレージシステムの保守対象ユニットの取り付け口と保守対象ユニットとの間に、保守対象ユニットの識別子をエミュレートするエミュレート装置を取り付けたので、保守対象ユニットを交換しても、ストレージシステムには、変更されたように見えないようにできる。これにより、保守対象ユニットの交換時の煩雑な設定作業がなくなり、オペレーションミスを防止できる。また、エミュレート装置を保守対象ユニットに取り付けるため、外部からのアクセスできないようなセキュリティ機構を構成することもできる。
【発明を実施するための最良の形態】
【００２７】
以下、本発明を、ストレージシステムの第１の実施の形態、エミュレータ装置、ストレージシステムの第２の実施の形態、ストレージシステムの第３の実施の形態、他の実施の形態の順で説明するが、本発明は、これら実施の形態に限らず、種々の変形が可能であり、これらを排除するものではない。
【００２８】
・・ストレージシステムの第１の実施の形態・・
図１は、本発明のストレージシステムの第１の実施の形態のブロック図であり、バーチャルデイスクライブラリ装置を例に示す。
【００２９】
図１に示すように、ストレージシステムは、ホストコンピュータ６に接続されるデイスクストレージ装置１と、ストレージエリアネットワークを構築するファイバスイッチ２−１，２−２と、テープストレージ装置４−１，４−２と、デイスクストレージ装置１とテープストレージ装置４−１，４−２の間に位置し、テープストレージ装置４−１，４−２に仮想デイスクの機能を付与するストレージサーバ（プロセッサ）３とで構成される。
【００３０】
このデイスクストレージ装置１は、一対のストレージ制御ユニット１０−１，１０−２と、両ストレージ制御ユニット１０−１，１０−２でアクセスされる大量の磁気デイスクドライブ１８を有する。
【００３１】
各ストレージ制御ユニット１０−１，１０−２は、同一の構成を有する。即ち、各ストレージ制御ユニット１０−１，１０−２は、ホスト６とのインタフェースである一対のホストチャネルアダプタ１２と、制御部（コントロールマネージャ）１４と、ストレージサーバ３とのインタフェースである一対のサーバチャネルアダプタ１６を備える。
【００３２】
この一対のストレージ制御ユニット１０−１，１０−２により、冗長構成を取り、且つ各ストレージ制御ユニット１０−１，１０−２が、複数のホスト／サーバアダプタ１２，１４を備えることで、入出力とも冗長構成を取る。
【００３３】
一方、テープストレージ装置４−１，４−２も同一構成である。各テープストレージ装置４−１，４−２は、収容棚（図示せず）に、収容された大量の磁気テープ４２と、この磁気テープ４２をドライブし、磁気テープ４２のデータをリード／ライトする複数の（ここでは、４台の）テープドライブ４０と、収容棚の所望の磁気テープ４２をテープドライブ４０に移送し、テープドライブ４０から磁気テープ４２を収容棚に戻すロボット４４とを有する。
【００３４】
このデイスクストレージ装置１とテープストレージ装置４−１，４−２に、汎用のものを使用するため、デイスクストレージ装置１とテープストレージ装置４−１，４−２の間に、テープストレージ装置４−１、４−２に、仮想デイスクのアクセス機能を付与するストレージサーバ３を設ける。
【００３５】
ストレージサーバ３は、一対のストレージプロセッサ３−１，３−２で構成され、一方が、現用で、他方が、待機用である。各ストレージプロセッサ３−１，３−２は、ファイバスイッチ２−１，２−２を介し、デイスクストレージ装置１のサーバチャネルアダプタ１６と接続するための一対のホストバスアダプタ３０と、ファイバスイッチ２−１，２−２を介し、テープストレージ装置４−１，４−２と接続するための一対のホストバスアダプタ３２とを有する。尚、各ストレージプロセッサ３−１，３−２は、保守端末用のポート３４を有する。
【００３６】
ファイバスイッチ２−１は、デイスクストレージ装置１の各制御ユニット１４の一方のサーバチャネルアダプタ１６と、各ストレージプロセッサ３−１，３−２のホストバスアダプタ３０とを接続する。又、ファイバスイッチ２−１は、各ストレージプロセッサ３−１，３−２の一方のホストバスアダプタ３２と、テープストレージ装置４−１，４−２のテープドライブ４０、ロボット４４とを接続する。
【００３７】
同様に、ファイバスイッチ２−２は、デイスクストレージ装置１の各制御ユニット１４の他方のサーバチャネルアダプタ１６と、各ストレージプロセッサ３−１，３−２のホストバスアダプタ３０とを接続する。又、ファイバスイッチ２−２は、各ストレージプロセッサ３−１，３−２の他方のホストバスアダプタ３２と、テープストレージ装置４−１，４−２のテープドライブ４０、ロボット４４とを接続する。
【００３８】
即ち、ファイバスイッチ２−１，２−２により、デイスクストレージ装置１の制御ユニット１０−１，１０−２のいずれも、現用ストレージサーバ３−１、待機用ストレージサーバ３−２に接続でき、且つ現用ストレージサーバ３−１、待機用ストレージサーバ３−２のいずれも、テープストレージ装置４−１，４−２の複数のテープドライブ４０、ロボット４４に接続できる。
【００３９】
このデイスクストレージ装置１、ファイバスイッチ２−１，２−２、ストレージサーバ３、テープストレージ装置４−１，４−２は、ＬＡＮ（Ｌｏｃａｌ  Ａｒｅａ  Ｎｅｔｗｏｒｋ）で接続され、そのポート６０に、外部機器を接続できる。
【００４０】
ここで、保守交換対象部品が、テープストレージ装置４−２のテープドライブ４０である場合には、テープドライブ４０とファイバスイッチ２−２の間に、エミュレータ装置５を設ける。そして、保守交換時には、ＬＡＮポート６０に、保守端末（例えば、パーソナルコンピュータ）６２を接続する。
【００４１】
先ず、比較のため、前述のエミュレータ装置５を設置しない従来方式の保守交換作業を説明する。
【００４２】
（１）保守端末（以下、操作端末という）６２のブラウザより、ＬＡＮポート６０から各ユニットの状態を得て、テープストレージ装置４−２のテープドライブ４０が、異常であることを確認する。
【００４３】
（２）オペレータは、更に、テープストレージ装置４−２のオペレータパネル（図示せず）で、テープドライブ４０が、異常であることを、目視確認する。
【００４４】
（３）この確認により、操作端末６２からストレージサーバ３にコマンドを発行し、ストレージサーバ３からのテープドライブ４０へのアクセスを抑止する。
【００４５】
（４）操作端末６２より、ＬＡＮポート６０を介し、保守対象のテープドライブ４０のＷＷＮ（Ｗｏｒｌｄ  Ｗｉｄｅ  Ｎａｍｅ、旧ＷＷＮという）を取得する。
【００４６】
（５）オペレータは、テープストレージ装置４−２のオペレータパネルを操作して、テープドライブ４０を、オフラインモードに変える。
【００４７】
（６）このように、保守対象テープドライブ４０を切り離した後、保守対象のテープドライブ４０を、テープストレージ装置４−２から取り外し、テープドライブ装置４−２に、新しいテープドライブ４０を取り付ける（交換する）。
【００４８】
（７）この交換後、オペレータは、テープストレージ装置４−２のオペレータパネルを操作して、新テープドライブをオンラインモードに変える。
【００４９】
（８）オペレータは、テープストレージ装置４−２のオペレータパネルを目視して、テープドライブ４０が正常である（異常が解除された）ことを確認する。
【００５０】
（９）オペレータは、操作端末６２より、ＬＡＮポート６０を介し、新しいテープドライブのＷＷＮ（新ＷＷＮという）を取得する。
【００５１】
（１０）オペレータは、操作端末６２からＬＡＮポート６０を介し待機系のストレージプロセッサ（例えば、３−２）に、通信プロトコルで、接続し、内部をアクセスできるようにする。
【００５２】
（１１）オペレータは、操作端末６２から待機系のストレージプロセッサ３−２に、交換前のテープドライブ４０のＷＷＮ（旧ＷＷＮ）が設定されているか確認する操作を行う。
【００５３】
（１２）これにより、待機系のストレージプロセッサ３−２内の交換前のテープドライブ４０のＷＷＮが、リードされ、操作端末６２に送信され、操作端末６２で、確認される。
【００５４】
（１３）この確認後、操作端末６２から、待機系ストレージプロセッサ３−２の交換前のテープドライブのＷＷＮ（旧ＷＷＮ）の設定を削除し、新しいテープドライブ４０のＷＷＮ（新ＷＷＮ）を再設定する。
【００５５】
（１４）これにより、待機系のストレージプロセッサ３−２内の交換前のテープドライブ４０のＷＷＮの設定が、削除され、新しいテープドライブ４０のWWN(新ＷＷＮ)を設定される。
【００５６】
（１５）オペレータは、操作端末６２から待機系のストレージプロセッサ３−２に、交換後のテープドライブ４０のＷＷＮ（新ＷＷＮ）が設定されているか確認する操作を行う。
【００５７】
（１６）これにより、待機系のストレージプロセッサ３−２内の交換後のテープドライブ４０のＷＷＮが、リードされ、操作端末６２に送信され、操作端末６２で、確認される。
【００５８】
（１７）次に、運用系の設定処理を行う。先ず、オペレータは、操作端末６２からＬＡＮポート６０を介し運用系のストレージプロセッサ（例えば、３−１）に、通信プロトコルで、接続し、内部をアクセスできるようにする。
【００５９】
（１８）オペレータは、操作端末６２から運用系のストレージプロセッサ３−１に、交換前のテープドライブ４０のＷＷＮ（旧ＷＷＮ）が設定されているか確認する操作を行う。
【００６０】
（１９）これにより、運用系のストレージプロセッサ３−１内の交換前のテープドライブ４０のＷＷＮが、リードされ、操作端末６２に送信され、操作端末６２で、確認される。
【００６１】
（２０）この確認後、操作端末６２から、運用系ストレージプロセッサ３−１の交換前のテープドライブのＷＷＮ（旧ＷＷＮ）の設定を削除し、新しいテープドライブ４０のＷＷＮ（新ＷＷＮ）を再設定する。
【００６２】
（２１）これにより、運用系のストレージプロセッサ３−１内の交換前のテープドライブ４０のＷＷＮの設定が、削除され、新しいテープドライブ４０のWWN(新ＷＷＮ)を設定される。
【００６３】
（２２）オペレータは、操作端末６２から運用系のストレージプロセッサ３−１に、交換後のテープドライブ４０のＷＷＮ（新ＷＷＮ）が設定されているか確認する操作を行う。
【００６４】
（２３）これにより、運用系のストレージプロセッサ３−１内の交換後のテープドライブ４０のＷＷＮが、リードされ、操作端末６２に送信され、操作端末６２で、確認される。
【００６５】
（２４）次に、活性保守中では、この運用系３−１は、待機系となり、待機系３−２が運用系となるため、設定の終了後、操作端末６２より、ストレージプロセッサの運用系と待機系を切り替える。
【００６６】
（２５）操作端末６２より，ストレージプロセッサ３−１，３−２のテープドライブ４０の抑止状態を解除する。
【００６７】
（２６）操作端末６２より、保守（交換）を行ったテープドライブ４０が、正常であることを確認する。
【００６８】
（２７）操作端末６２から運用系・待機系のストレージプロセッサ３−１，３−２からログアウトする（内部アクセス状態を解除する）。
【００６９】
即ち、活性保守するには、ストレージプロセッサ３−１，３−２とテープドライブ４０のアクセスを抑止した後、ストレージプロセッサと接続し、そのＷＷＮの設定の確認、変更、変更の確認を行い、ストレージプロセッサ３−１，３−２とテープドライブ４０のアクセス抑止を解除する操作を実行していた。
【００７０】
これに対し、図１のように、テープドライブ４０に、エミュレータ装置５を設けた場合には、エミュレータ装置５が、交換前のテープドライブ４０のＷＷＮを記憶しており、且つ交換後のテープドライブ４０のＷＷＮを読み出し、記憶する。これにより、ＷＷＮのエミュレートを実行する。又、エミュレータ装置５は、交換を検出し、ストレージプロセッサ３−１，３−２とテープドライブ４０の接続解除及び再接続を行う。
【００７１】
このため、従来の保守対象のテープドライブ４０のＷＷＮの確認、再設定作業は、不要となる。具体的には、従来の（４）の操作端末より保守対象のテープドライブ４０のＷＷＮを取得する作業は、エミュレータ装置５が、テープドライブ４０のＷＷＮを吸い出して記憶しているため、旧ＷＷＮを取得する必要はない。
【００７２】
同様に、従来の（９）〜（２４）の作業は、エミュレータ装置５が、元のテープドライブ４０の旧ＷＷＮを吸い出して記憶しているため、新テープドライブ４０の新ＷＷＮが、ストレージプロセッサからみえることはなく、作業不要になる。
【００７３】
エミュレータ装置５は、ストレージプロセッサからみると新ＷＷＮを元のＷＷＮに変換してみせることができる。また、ＷＷＮ以外のデータは、そのまま新のテープドライブ４０に通過させる。つまり、テープドライブ４０に、エミュレータ装置５を接続することにより、ストレージサーバは、テープドライブ４０が、交換されたことを意識しない。そのため、煩雑な作業はいらず、操作端末６２より、抑止状態解除を行うだけでよい。
【００７４】
このため、本発明によると、前述の保守交換作業は、次のようになる。
【００７５】
（Ａ）（１）と同様、保守端末（以下、操作端末という）６２のブラウザより、ＬＡＮポート６０から各ユニットの状態を得て、テープストレージ装置４−２のテープドライブ４０が、異常であることを確認する。
【００７６】
（Ｂ）（２）と同様、オペレータは、更に、テープストレージ装置４−２のオペレータパネル（図示せず）で、テープドライブ４０が、異常であることを、目視確認する。
【００７７】
（Ｃ）（３）と同様に、この確認により、操作端末６２からストレージサーバ３にコマンドを発行し、ストレージサーバ３からのテープドライブ４０へのアクセスを抑止する。
【００７８】
（Ｄ）（４）を省き、（５）と同様に、オペレータは、テープストレージ装置４−２のオペレータパネルを操作して、テープドライブ４０を、オフラインモードに変える。
【００７９】
（Ｅ）（６）と同様に、保守対象テープドライブ４０を切り離した後、保守対象のテープドライブ４０を、テープストレージ装置４−２から取り外し、テープドライブ装置４−２に、新しいテープドライブ４０を取り付ける（交換する）。
【００８０】
（Ｆ）（７）と同様に、この交換後、オペレータは、テープストレージ装置４−２のオペレータパネルを操作して、新テープドライブをオンラインモードに変える。
【００８１】
（Ｇ）（８）と同様に、オペレータは、テープストレージ装置４−２のオペレータパネルを目視して、テープドライブ４０が正常である（異常が解除された）ことを確認する。
【００８２】
（Ｈ）（９）〜（２４）を省き、（２５）と同様に、操作端末６２より，ストレージプロセッサ３−１，３−２のテープドライブ４０の抑止状態を解除する。
【００８３】
（Ｉ）（２６）と同様に、操作端末６２より、保守（交換）を行ったテープドライブ４０が、正常であることを確認する。又、（２７）は、不要である。
【００８４】
このように、この実施の形態では、保守対象ユニットとプロセッサとの間に、エミュレータ装置５を介在させることにより、操作端末６２からの操作及び確認動作を少なくすることができ、オペレーションの数を減少でき、作業時間の短縮及びオペレーションミスの防止に有効である。
【００８５】
・・エミュレータ装置・・
次に、前述のエミュレータ装置５を、図２乃至図９で説明する。図２は、本発明の一実施の形態のエミュレータ装置のブロック図、図３は、図２のエミュレータ装置の装置に取り付けた時の処理フロー図、図４は、図３の動作説明図、図５は、交換前の動作説明図、図６は、図２のエミュレータ装置の部品交換時の処理フロー図、図７は、図６の動作説明図、図８は、図２のエミュレータ装置の装置交換後の処理フロー図、図９は、図８の動作説明図である。
【００８６】
図２に示すように、エミュレータ装置５は、ストレージプロセッサ３−１，３−２のホストアダプタ（ＨＢＡ）３２と接続されるＡポート５０と、テープドライブ（保守交換対象）４０と接続されるＢポート５２と、エミュレータ処理を実行する処理ユニット（ＣＰＵ）５４と、変更前の旧ＷＷＮと変更後の新ＷＷＮを対応して格納するテーブル５６とを有する。
【００８７】
次に、図４を参照して、図３の装置取り付け時の処理を説明する。
【００８８】
（Ｓ１０）先ず、エミュレート装置５のＢポート５２を、保守対象であるテープドライブ４０に接続する。処理ユニット５４は、Ｂポート５２が、リンクアップしたか（即ち、テープドライブ４０から光信号を受信したか）を判定し、リンクアップしていることにより、エミュレートすべき保守対象ユニット（テープドライブ）４０が接続されたことを確認する。
【００８９】
（Ｓ１２）処理ユニット５４は、リンクアップ検出後、ＳＣＳＩ（Ｓｍａｌｌ
Ｃｏｍｐｕｔｅｒ  Ｓｙｓｔｅｍ  Ｉｎｔｅｒｆａｃｅ）で、エミュレートすべき保守対象ユニット４０から、保守対象ユニット４０のＷＷＮをリードする。
【００９０】
（Ｓ１４）そして、処理ユニット５４は、リードしたＷＷＮを、テーブル５６の変更前ＷＷＮに格納する。
【００９１】
（Ｓ１６）次に、エミュレート装置５のＡポート５０を、保守対象ユニット４０の接続先であるホストアダプタ３２に接続する。
【００９２】
このように、エミュレート装置５は、保守対象ユニット４０に接続された時に、保守対象ユニット４０との接続を確認し、且つ保守対象ユニット４０のＷＷＮをリードして、テーブル５６に変更前ＷＷＮとして格納し、接続先と自動接続する。
【００９３】
次に、図５により、保守交換対象ユニット４０の交換前のエミュレート装置５の動作を説明する。先ず、エミュレート装置５は、Ａポート５０から、ホストアダプタ（ＨＢＡ）３２からのデータ書き込み又は読み込み要求を受けると、そのまま、要求を、Ｂポート５２にスルーし、保守対象ユニット４０に伝達する。
【００９４】
次に、この要求に対し、保守対象ユニット４０は、要求された処理（例えば、リード又はライト処理）を実行し、Ｂポート５２に、応答を返送する。この応答には、保守対象ユニット４０の識別子であるＷＷＮが含まれる。エミュレート装置５の処理ユニット５４は、テーブル５６に、応答に含まれるＷＷＮが、変更後のＷＷＮが登録されていないことを確認する。そして、確認後、Ｂポート５２で受けた応答をＡポート５０にスルーし、Ａポート５０からホストアダプタ（ＨＢＡ）３２に応答を送る。そして、エミュレート装置５は、ホストアダプタ（ＨＢＡ）３２から応答の受信確認を受ける。
【００９５】
このように、エミュレート装置５は、ホストアダプタ３２からの要求を、保守対象ユニット４０にそのまま伝達するとともに、保守対象ユニット４０からの要求に対する応答を、テーブル５６に、変更後のＷＷＮが登録されていないことを確認して、そのまま、ホストアダプタ３２に伝達する。
【００９６】
次に、図７を参照して、図６の保守対象ユニット４０の交換時の処理を説明する。
【００９７】
（Ｓ２０）保守対象であるテープドライブ４０が取り外されると、エミュレート装置５のＢポート５２に、光信号が来なくなる。即ち、保守対象であるテープドライブ４０とＢポート５２とがリンクダウンする。処理ユニット５４は、Ｂポート５２が、リンクダウンしたか（即ち、テープドライブ４０から光信号を受信しなくなったか）を判定し、リンクダウンしていることにより、保守対象ユニット（テープドライブ）４０が取り外され、保守が開始されたことを確認する。
【００９８】
（Ｓ２２）処理ユニット５４は、リンクダウン検出後、Ａポート５０での、接続先（ここでは、ホストアダプタ）３２からの要求の受け付けを抑止する。
【００９９】
（Ｓ２４）そして、作業者が保守を行い、新しいテープドライブ４０を、エミュレート装置５のＢポート５２に接続する。エミュレート装置５のＢポート５２が再度、光信号を受ける。処理ユニット５４は、Ｂポート５２が、リンクアップしたか（即ち、テープドライブ４０から光信号を受信したか）を判定し、リンクアップしていることにより、新しい保守対象ユニット（テープドライブ）４０が接続されたことを確認する。
【０１００】
（Ｓ２６）処理ユニット５４は、リンクアップ検出後、ＳＣＳＩ（Ｓｍａｌｌ
Ｃｏｍｐｕｔｅｒ  Ｓｙｓｔｅｍ  Ｉｎｔｅｒｆａｃｅ）で、新しい保守対象ユニット４０から、保守対象ユニット４０のＷＷＮをリードする。
【０１０１】
（Ｓ２８）そして、処理ユニット５４は、リードしたＷＷＮを、テーブル５６の変更前ＷＷＮに対応して、変更後のＷＷＮに格納する。次に、エミュレート装置５のＡポート５０を、保守対象ユニット４０の接続先であるホストアダプタ３２に接続する。
【０１０２】
このように、エミュレート装置５は、交換対象の保守対象ユニット４０の取り外しを確認し、受け付けを抑止した後、新しい保守対象ユニット４０に接続されたことを確認し、且つ新しい保守対象ユニット４０のＷＷＮをリードして、テーブル５６に変更後ＷＷＮとして格納し、接続先と接続する。
【０１０３】
次に、図９を参照して、図８により、保守交換対象ユニット４０の交換後のエミュレート装置５の処理を説明する。
【０１０４】
（Ｓ３０）先ず、エミュレート装置５の処理ユニット５４は、Ａポート５０から、ホストアダプタ（ＨＢＡ）３２からのデータ書き込み又は読み込み要求があるかを判定する。要求を受けていないと判定すると、ステップＳ３８に進む。
【０１０５】
（Ｓ３２）一方、処理ユニット５４は、要求を受けていると判定すると、（ＷＷＮ）テーブル５６をサーチする。
【０１０６】
（Ｓ３４）処理ユニット５４は、Ａポート５０からの要求に含まれる要求対象のＷＷＮが、テーブル５６の変更前のＷＷＮに登録されているかを判定する。処理ユニット５４は、Ａポート５０からの要求に含まれる要求対象のＷＷＮが、テーブル５６の変更前のＷＷＮに登録されていないと、ステップＳ３６に進む。一方、Ａポート５０からの要求に含まれる要求対象のＷＷＮが、テーブル５６の変更前のＷＷＮに登録されていると判定すると、要求対象のＷＷＮを、テーブル５６に登録された新ＷＷＮに変換する。
【０１０７】
（Ｓ３６）処理ユニット５４は、そのまま、又は変換したＷＷＮを含む要求を、Ｂポート５２に発行し、保守対象ユニット４０に伝達する。そして、ステップＳ３０に戻る。
【０１０８】
（Ｓ３８）この要求に対し、保守対象ユニット４０は、要求された処理（例えば、リード又はライト処理）を実行し、Ｂポート５２に、応答を返送する。この応答には、保守対象ユニット４０の識別子であるＷＷＮが含まれる。エミュレート装置５の処理ユニット５４は、先ず、Ｂポート５２で応答を受信したかを判定する。処理ユニット５４は、応答を受信していないと、ステップＳ３０に戻る。
【０１０９】
（Ｓ４０）処理ユニット５４は、応答を受信していると判定すると、テーブル５６をサーチする。
【０１１０】
（Ｓ４２）処理ユニット５４は、Ｂポート５２からの応答に含まれる要求対象のＷＷＮが、テーブル５６の変更後のＷＷＮに登録されているかを判定する。処理ユニット５４は、Ｂポート５２からの応答に含まれる要求対象のＷＷＮが、テーブル５６の変更後のＷＷＮに登録されていないと、ステップＳ４４に進む。一方、Ｂポート５２からの要求に含まれる要求対象のＷＷＮが、テーブル５６の変更後のＷＷＮに登録されていると判定すると、要求対象からの新ＷＷＮを、テーブル５６に登録された旧ＷＷＮに変換する。
【０１１１】
（Ｓ４４）処理ユニット５４は、そのまま、又は変換したＷＷＮを含む応答を、Ａポート５０に発行し、Ａポート５０からホストアダプタ（ＨＢＡ）３２に応答を送る。そして、エミュレート装置５は、ホストアダプタ（ＨＢＡ）３２から応答の受信確認を受ける。
【０１１２】
このように、エミュレート装置５は、ホストアダプタ３２からの要求のＷＷＮを、交換された保守対象ユニット４０の新ＷＷＮに変換し、伝達するとともに、保守対象ユニット４０からの要求に対する応答を、テーブル５６に、変更後のＷＷＮが登録されている場合には、旧ＷＷＮに変換して、ホストアダプタ３２に伝達する。
【０１１３】
このようなエミュレート装置５のエミュレート処理により、活性保守しても、交換対象ユニットとの接続解除、接続再開、及び識別子であるＷＷＮの変換を行うため、オペレータの各種の設定、接続、接続解除操作を省略でき、作業時間の短縮及びオペレーションミスを防止できる。又、装置固有のＷＷＮのエミュレートを行っているため、外部からの不正アクセスを防止でき、セキュリテイも実現できる。
【０１１４】
・・ストレージシステムの第２の実施の形態・・
図１０は、本発明のストレージシステムの第２の実施の形態のブロック図であり、バーチャルデイスクライブラリ装置のロボット４４の保守交換を例に示す。
【０１１５】
図１０において、図１と同一のものは、同一の記号で示す。図１０においても、ストレージシステムは、ホストコンピュータ６に接続されるデイスクストレージ装置１と、ストレージエリアネットワークを構築するファイバスイッチ２−１，２−２と、テープストレージ装置４−１，４−２と、デイスクストレージ装置１とテープストレージ装置４−１，４−２の間に位置し、テープストレージ装置４−１，４−２に仮想デイスクの機能を付与するストレージサーバ（プロセッサ）３とで構成される。
【０１１６】
ここで、保守交換対象部品が、テープストレージ装置４−２のテープ移送手段であるロボット４４である場合には、ロボット４４とファイバスイッチ２−２の間に、エミュレータ装置５を設ける。そして、保守交換時には、ＬＡＮポート６０に、保守端末（例えば、パーソナルコンピュータ）６２を接続する。
【０１１７】
先ず、比較のため、前述のエミュレータ装置５を設置しない従来方式の保守交換作業を説明する。
【０１１８】
（１）保守端末（以下、操作端末という）６２のブラウザより、ＬＡＮポート６０から各ユニットの状態を得て、テープストレージ装置４−２のロボット４４が、異常であることを確認する。
【０１１９】
（２）オペレータは、更に、テープストレージ装置４−２のオペレータパネル（図示せず）で、ロボット４４が、異常であることを、目視確認する。
【０１２０】
（３）この確認により、操作端末６２からストレージサーバ３にコマンドを発行し、ストレージサーバ３からのロボット４４へのアクセスを抑止する。
【０１２１】
（４）操作端末６２より、ＬＡＮポート６０を介し、保守対象のロボット４４のＷＷＮ（Ｗｏｒｌｄ  Ｗｉｄｅ  Ｎａｍｅ、旧ＷＷＮという）を取得する。
【０１２２】
（５）オペレータは、テープストレージ装置４−２のオペレータパネルを操作して、ロボット４４を、オフラインモードに変える。
【０１２３】
（６）このように、保守対象ロボット４４を切り離した後、保守対象のロボット４４を、テープストレージ装置４−２から取り外し、テープドライブ装置４−２に、新しいロボット４４を取り付ける（交換する）。
【０１２４】
（７）この交換後、オペレータは、テープストレージ装置４−２のオペレータパネルを操作して、新ロボット４４をオンラインモードに変える。
【０１２５】
（８）オペレータは、テープストレージ装置４−２のオペレータパネルを目視して、ロボット４４が正常である（異常が解除された）ことを確認する。
【０１２６】
（９）オペレータは、操作端末６２より、ＬＡＮポート６０を介し、新しいロボット４４のＷＷＮ（新ＷＷＮという）を取得する。
【０１２７】
（１０）オペレータは、操作端末６２からＬＡＮポート６０を介し待機系のストレージプロセッサ（例えば、３−２）に、通信プロトコルで、接続し、内部をアクセスできるようにする。
【０１２８】
（１１）オペレータは、操作端末６２から待機系のストレージプロセッサ３−２に、交換前のロボット４４のＷＷＮ（旧ＷＷＮ）が設定されているか確認する操作を行う。
【０１２９】
（１２）これにより、待機系のストレージプロセッサ３−２内の交換前のロボット４４のＷＷＮが、リードされ、操作端末６２に送信され、操作端末６２で、確認される。
【０１３０】
（１３）この確認後、操作端末６２から、待機系ストレージプロセッサ３−２の交換前のテープドライブのＷＷＮ（旧ＷＷＮ）の設定を削除し、新しいロボット４４のＷＷＮ（新ＷＷＮ）を再設定する。
【０１３１】
（１４）これにより、待機系のストレージプロセッサ３−２内の交換前のロボット４４のＷＷＮの設定が、削除され、新しいロボット４４のWWN(新ＷＷＮ)を設定される。
【０１３２】
（１５）オペレータは、操作端末６２から待機系のストレージプロセッサ３−２に、交換後のロボット４４のＷＷＮ（新ＷＷＮ）が設定されているか確認する操作を行う。
【０１３３】
（１６）これにより、待機系のストレージプロセッサ３−２内の交換後のロボット４４のＷＷＮが、リードされ、操作端末６２に送信され、操作端末６２で、確認される。
【０１３４】
（１７）次に、運用系の設定処理を行う。先ず、オペレータは、操作端末６２からＬＡＮポート６０を介し運用系のストレージプロセッサ（例えば、３−１）に、通信プロトコルで、接続し、内部をアクセスできるようにする。
【０１３５】
（１８）オペレータは、操作端末６２から運用系のストレージプロセッサ３−１に、交換前のロボット４４のＷＷＮ（旧ＷＷＮ）が設定されているか確認する操作を行う。
【０１３６】
（１９）これにより、運用系のストレージプロセッサ３−１内の交換前のロボット４４のＷＷＮが、リードされ、操作端末６２に送信され、操作端末６２で、確認される。
【０１３７】
（２０）この確認後、操作端末６２から、運用系ストレージプロセッサ３−１の交換前のロボット４４のＷＷＮ（旧ＷＷＮ）の設定を削除し、新しいロボット４４のＷＷＮ（新ＷＷＮ）を再設定する。
【０１３８】
（２１）これにより、運用系のストレージプロセッサ３−１内の交換前のロボット４４のＷＷＮの設定が、削除され、新しいロボット４４のWWN(新ＷＷＮ)を設定される。
【０１３９】
（２２）オペレータは、操作端末６２から運用系のストレージプロセッサ３−１に、交換後のロボット４４のＷＷＮ（新ＷＷＮ）が設定されているか確認する操作を行う。
【０１４０】
（２３）これにより、運用系のストレージプロセッサ３−１内の交換後のロボット４４のＷＷＮが、リードされ、操作端末６２に送信され、操作端末６２で、確認される。
【０１４１】
（２４）次に、活性保守中では、この運用系３−１は、待機系となり、待機系３−２が運用系となるため、設定の終了後、操作端末６２より、ストレージプロセッサの運用系と待機系を切り替える。
【０１４２】
（２５）操作端末６２より，ストレージプロセッサ３−１，３−２のロボット４４の抑止状態を解除する。
【０１４３】
（２６）操作端末６２より、保守（交換）を行ったロボット４４が、正常であることを確認する。
【０１４４】
（２７）操作端末６２から運用系・待機系のストレージプロセッサ３−１，３−２からログアウトする（内部アクセス状態を解除する）。
【０１４５】
即ち、活性保守するには、ストレージプロセッサ３−１，３−２とロボット４４のアクセスを抑止した後、ストレージプロセッサと接続し、そのＷＷＮの設定の確認、変更、変更の確認を行い、ストレージプロセッサ３−１，３−２とロボット４４のアクセス抑止を解除する操作を実行していた。
【０１４６】
これに対し、図１０のように、ロボット４４に、エミュレータ装置５を設けた場合には、エミュレータ装置５が、交換前のロボット４４のＷＷＮを記憶しており、且つ交換後のロボット４４のＷＷＮを読み出し、記憶する。これにより、ＷＷＮのエミュレートを実行する。又、エミュレータ装置５は、交換を検出して、ストレージプロセッサ３−１，３−２とロボット４４の接続解除及び再接続を行う。
【０１４７】
このため、従来の保守対象のロボット４４のＷＷＮの確認、再設定作業は、不要となる。具体的には、従来の（４）の操作端末より保守対象のロボット４４のＷＷＮを取得する作業は、エミュレータ装置５が、ロボット４４のＷＷＮを吸い出して記憶しているため、旧ＷＷＮを取得する必要はない。
【０１４８】
同様に、従来の（９）〜（２４）の作業は、エミュレータ装置５が、元のロボット４４の旧ＷＷＮを吸い出して記憶しているため、新ロボット４４の新ＷＷＮが、ストレージプロセッサ３からみえることはなく、作業不要になる。
【０１４９】
エミュレータ装置５は、ストレージプロセッサ３からみると新ＷＷＮを元のＷＷＮに変換してみせることができる。また、ＷＷＮ以外のデータは、そのまま、新ロボット４４に通過させる。つまり、ロボット４４に、エミュレータ装置５を接続することにより、ストレージサーバ３は、ロボット４４が、交換されたことを意識しない。そのため、煩雑な作業はいらず、操作端末６２より、抑止状態解除を行うだけでよい。
【０１５０】
このため、本発明によると、前述の保守交換作業は、次のようになる。
【０１５１】
（Ａ）（１）と同様、保守端末（以下、操作端末という）６２のブラウザより、ＬＡＮポート６０から各ユニットの状態を得て、テープストレージ装置４−２のロボット４４が、異常であることを確認する。
【０１５２】
（Ｂ）（２）と同様、オペレータは、更に、テープストレージ装置４−２のオペレータパネル（図示せず）で、ロボット４４が、異常であることを、目視確認する。
【０１５３】
（Ｃ）（３）と同様に、この確認により、操作端末６２からストレージサーバ３にコマンドを発行し、ストレージサーバ３からのロボット４４へのアクセスを抑止する。
【０１５４】
（Ｄ）（４）を省き、（５）と同様に、オペレータは、テープストレージ装置４−２のオペレータパネルを操作して、ロボット４４を、オフラインモードに変える。
【０１５５】
（Ｅ）（６）と同様に、保守対象ロボット４４を切り離した後、保守対象のロボット４４を、テープストレージ装置４−２から取り外し、テープドライブ装置４−２に、新しいロボット４４を取り付ける（交換する）。
【０１５６】
（Ｆ）（７）と同様に、この交換後、オペレータは、テープストレージ装置４−２のオペレータパネルを操作して、新テープドライブをオンラインモードに変える。
【０１５７】
（Ｇ）（８）と同様に、オペレータは、テープストレージ装置４−２のオペレータパネルを目視して、テープドライブ４０が正常である（異常が解除された）ことを確認する。
【０１５８】
（Ｈ）（９）〜（２４）を省き、（２５）と同様に、操作端末６２より，ストレージプロセッサ３−１，３−２のテープドライブ４０の抑止状態を解除する。
【０１５９】
（Ｉ）（２６）と同様に、操作端末６２より、保守（交換）を行ったロボット４４が、正常であることを確認する。又、（２７）は、不要である。
【０１６０】
このように、この実施の形態では、保守対象ユニットとプロセッサとの間に、エミュレータ装置５を介在させることにより、操作端末６２からの操作及び確認動作を少なくすることができ、オペレーションの数を減少でき、作業時間の短縮及びオペレーションミスの防止に有効である。
【０１６１】
・・ストレージシステムの第３の実施の形態・・
図１１は、本発明のストレージシステムの第３の実施の形態のブロック図であり、バーチャルデイスクライブラリ装置のストレージプロセッサ３のホストアダプタ３０の保守交換を例に示す。
【０１６２】
図１１において、図１、図１０と同一のものは、同一の記号で示す。図１１においても、ストレージシステムは、ホストコンピュータ６に接続されるデイスクストレージ装置１と、ストレージエリアネットワークを構築するファイバスイッチ２−１，２−２と、テープストレージ装置４−１，４−２と、デイスクストレージ装置１とテープストレージ装置４−１，４−２の間に位置し、テープストレージ装置４−１，４−２に仮想デイスクの機能を付与するストレージサーバ（プロセッサ）３とで構成される。
【０１６３】
ここで、保守交換対象部品が、ストレージプロセッサ３−２のホストアダプタ３０である場合には、ホストアダプタ３０とファイバスイッチ２−２の間に、エミュレータ装置５を設ける。そして、保守交換時には、ＬＡＮポート６０に、保守端末（例えば、パーソナルコンピュータ）６２を接続する。
【０１６４】
先ず、比較のため、前述のエミュレータ装置５を設置しない従来方式の保守交換作業を説明する。
【０１６５】
（１）保守端末（以下、操作端末という）６２のブラウザより、ＬＡＮポート６０から各ユニットの状態を得て、片系のストレージプロセッサ３−２のホストアダプタ３０が、異常であることを確認する。
【０１６６】
（２）オペレータは、更に、操作端末６２で、交換対象のホストアダプタ３０が、ストレージプロセッサの運用系３−１のものであれば、運用系３−１を待機系に切り替える。
【０１６７】
（３）オペレータは、操作端末６２で、交換対象のホストアダプタ３０を持つストレージプロセッサが、待機系に切り替わったかを確認する。
【０１６８】
（４）この確認により、操作端末６２から待機系ストレージプロセッサ３−２にコマンドを発行し、ストレージプロセッサ３−２のアプリケーションの実行を停止する操作を行なう。
【０１６９】
（５）オペレータは、操作端末６２からＬＡＮポート６０を介し待機系のストレージプロセッサ（例えば、３−２）に、通信プロトコルで、接続し、アプリケーションの自動起動を抑止する。
【０１７０】
（６）操作端末６２より、ＬＡＮポート６０を介し、運用系ストレージプロセッサ３−１とデイスクストレージ装置１間のパスと、待機系ストレージプロセッサ３−２とデイスクストレージ装置１間のパスとの確認を行なう。
【０１７１】
（７）オペレータは、操作端末６２の画面で、運用系ストレージプロセッサ３−１とデイスクストレージ装置１とのパスが正常であることを確認する。
【０１７２】
（８）操作端末６２より、ＬＡＮポート６０を介し、運用系ストレージプロセッサ３−１とテープストレージ装置４−１，４−２間のパスの確認を行なう。
【０１７３】
（９）オペレータは、操作端末６２の画面で、運用系ストレージプロセッサ３−１とテープストレージ装置３−１，３−２とのパスが正常であることを確認する。
【０１７４】
（１０）このように、運用系の接続を確認し、保守対象ホストアダプタ３０を切り離した後、保守対象のホストアダプタ３０を、待機系ストレージプロセッサ３−２から取り外し、ストレージプロセッサ３−２に、新しいホストアダプタ３０を取り付ける（交換する）。
【０１７５】
（１１）この交換後、オペレータは、操作端末６２を操作して、待機系ストレージプロセッサ３−２のパワーオフ／オンを行なう。
【０１７６】
（１２）オペレータは、操作端末６２より、ＬＡＮポート６０を介し、新しいホストアダプタ３０のＷＷＮ（新ＷＷＮという）を取得する。
【０１７７】
（１３）オペレータは、操作端末６２からＬＡＮポート６０を介し待機系のストレージプロセッサ（例えば、３−２）に、通信プロトコルで、接続し、アプリケーションの自動起動抑止を解除する。
【０１７８】
（１４）オペレータは、操作端末６２からデイスクストレージ装置１の設定する制御ユニット（例えば、１０−１の１４）へのパスをオフラインに設定する。
【０１７９】
（１５）この後、デイスクストレージ装置１が、交換されたホストアダプタ３０をアクセスできるように、操作端末６２から、デイスクストレージ装置１の制御ユニット１０−１の１４のホストテーブルに、交換前のホストアダプタのＷＷＮ（旧ＷＷＮ）の設定を削除し、新しいホストアダプタ３０のＷＷＮ（新ＷＷＮ）を再設定する。
【０１８０】
（１６）オペレータは、操作端末６２から、デイスクストレージ装置１のオフラインにした制御ユニット（例えば、１０−１の１４）のサーバチャネルアダプタのポート設定を行なう。
【０１８１】
（１７）オペレータは、操作端末６２から、運用系ストレージプロセッサ３−１から、デイスクストレージ装置１の設定した制御ユニット（例えば、１０−１の１４）へのパスをオンラインに戻す。
【０１８２】
（１８）この（１４）〜（１７）までの手順を、デイスクストレージ装置１の制御ユニットの数だけ繰り返す。
【０１８３】
（１９）オペレータは、操作端末６２から待機系のストレージプロセッサ３−２と、デイスクストレージ装置３とのパスの確認を行ない、オフラインであった待機系のストレージプロセッサ３−２とデイスクストレージ装置３とのパスが、オンラインになったかを確認する。
【０１８４】
（２０）この確認により、操作端末６２から待機系ストレージプロセッサ３−２にコマンドを発行し、ストレージプロセッサ３−２のアプリケーションの実行を再開する操作を行なう。
【０１８５】
（２１）オペレータは、操作端末６２からＬＡＮポート６０を介し待機系のストレージプロセッサ（例えば、３−２）のアプリケーションに、交換されたホストアダプタ３０が組み込まれていることを確認する。
【０１８６】
（２２）操作端末６２より、ＬＡＮポート６０を介し、運用系ストレージプロセッサ３−１とデイスクストレージ装置１間のパスと、待機系ストレージプロセッサ３−２とデイスクストレージ装置１間のパスとの確認を行なう。
【０１８７】
（２３）オペレータは、操作端末６２の画面で、ストレージプロセッサ３−１，３−２とデイスクストレージ装置１とのパスが正常であることを確認する。
【０１８８】
（２４）操作端末６２より、ＬＡＮポート６０を介し、運用系ストレージプロセッサ３−１とテープストレージ装置４−１，４−２間のパスの確認を行なう。
【０１８９】
（２５）オペレータは、操作端末６２の画面で、運用系ストレージプロセッサ３−１とテープストレージ装置３−１，３−２とのパスが正常であることを確認する。
【０１９０】
即ち、活性保守するには、交換対象のホストアダプタ３０を持つストレージプロセッサ３−１又は３−２のアプリケーションの実行を抑止した後、パスの確認、ホストアダプタの交換、そのＷＷＮの取得を行ない、デイスクストレージ装置１へのパスをオフラインとし、デイスクストレージ装置１に、新ＷＷＮの設定を行い、デイスクストレージ装置へのパスをオンラインとし、パス接続確認を実行していた。
【０１９１】
これに対し、図１１のように、ホストアダプタ３０に、エミュレータ装置５を設けた場合には、エミュレータ装置５が、旧ホストアダプタのＷＷＮの取得と新ホストアダプタ３０のＷＷＮの取得を行なう。このため、従来の保守対象のホストアダプタ３０のＷＷＮの取得作業及びそれに伴うデイスクストレージ装置１への設定作業は、不要となる。
【０１９２】
具体的には、従来の（１２）の操作端末より保守対象のホストアダプタ３０の新ＷＷＮを取得する作業は、エミュレータ装置５が、ホストアダプタ３０の新ＷＷＮを吸い出して記憶しているため、必要はない。
【０１９３】
同様に、従来の（１３）〜（１８）の作業は、エミュレータ装置５が、新ホストアダプタ３０の新ＷＷＮを吸い出して記憶しているため、新ホストアダプタ３０の新ＷＷＮが、デイスクストレージ装置１からみえることはなく、作業不要になる。
【０１９４】
エミュレータ装置５は、デイスクストレージ装置１からのアクセスで、新WWNを元のWWNに変換してみせることができる。また、WWN以外のデータはそのまま、ストレージプロセッサに透過させる。又、デイスクストレージ装置１は、ホストアダプタ３０が、交換されたことを意識しない。そのため、煩雑な作業はいらず、操作端末より抑止状態解除を行うだけでよい。
【０１９５】
このため、本発明によると、前述の保守交換作業は、次のようになる。
【０１９６】
（Ａ）（１）と同様、保守端末（以下、操作端末という）６２のブラウザより、ＬＡＮポート６０から各ユニットの状態を得て、片系のストレージプロセッサ３−２のホストアダプタ３０が、異常であることを確認する。
【０１９７】
（Ｂ）（２）と同様に、オペレータは、更に、操作端末６２で、交換対象のホストアダプタ３０が、ストレージプロセッサの運用系３−１のものであれば、運用系３−１を待機系に切り替える。
【０１９８】
（Ｃ）（３）と同様に、オペレータは、操作端末６２で、交換対象のホストアダプタ３０を持つストレージプロセッサが、待機系に切り替わったかを確認する。
【０１９９】
（Ｄ）（４）と同様に、この確認により、操作端末６２から待機系ストレージプロセッサ３−２にコマンドを発行し、ストレージプロセッサ３−２のアプリケーションの実行を停止する操作を行なう。
【０２００】
（Ｅ）（５）を省き、（６）と同様に、操作端末６２より、ＬＡＮポート６０を介し、運用系ストレージプロセッサ３−１とデイスクストレージ装置１間のパスと、待機系ストレージプロセッサ３−２とデイスクストレージ装置１間のパスとの確認を行なう。
【０２０１】
（Ｆ）（７）と同様に、オペレータは、操作端末６２の画面で、運用系ストレージプロセッサ３−１とデイスクストレージ装置１とのパスが正常であることを確認する。
【０２０２】
（Ｇ）（８）と同様に、操作端末６２より、ＬＡＮポート６０を介し、運用系ストレージプロセッサ３−１とテープストレージ装置４−１，４−２間のパスの確認を行なう。
【０２０３】
（Ｈ）（９）と同様に、オペレータは、操作端末６２の画面で、運用系ストレージプロセッサ３−１とテープストレージ装置３−１，３−２とのパスが正常であることを確認する。
【０２０４】
（Ｉ）（１０）と同様に、運用系の接続を確認し、保守対象ホストアダプタ３０を切り離した後、保守対象のホストアダプタ３０を、待機系ストレージプロセッサ３−２から取り外し、ストレージプロセッサ３−２に、新しいホストアダプタ３０を取り付ける（交換する）。
【０２０５】
（Ｊ）（１１）〜（１８）を省き、（１９）と同様に、オペレータは、操作端末６２から待機系のストレージプロセッサ３−２と、デイスクストレージ装置３とのパスの確認を行ない、オフラインであった待機系のストレージプロセッサ３−２とデイスクストレージ装置３とのパスが、オンラインになったかを確認する。
【０２０６】
（Ｋ）（２０）と同様に、この確認により、操作端末６２から待機系ストレージプロセッサ３−２にコマンドを発行し、ストレージプロセッサ３−２のアプリケーションの実行を再開する操作を行なう。
【０２０７】
（Ｌ）（２１）と同様に、オペレータは、操作端末６２からＬＡＮポート６０を介し待機系のストレージプロセッサ（例えば、３−２）のアプリケーションに、交換されたホストアダプタ３０が組み込まれていることを確認する。
【０２０８】
（Ｍ）（２２）と同様に、操作端末６２より、ＬＡＮポート６０を介し、運用系ストレージプロセッサ３−１とデイスクストレージ装置１間のパスと、待機系ストレージプロセッサ３−２とデイスクストレージ装置１間のパスとの確認を行なう。
【０２０９】
（Ｎ）（２３）と同様に、オペレータは、操作端末６２の画面で、ストレージプロセッサ３−１，３−２とデイスクストレージ装置１とのパスが正常であることを確認する。
【０２１０】
（O）（２４）と同様に、操作端末６２より、ＬＡＮポート６０を介し、運用系ストレージプロセッサ３−１とテープストレージ装置４−１，４−２間のパスの確認を行なう。
【０２１１】
（Ｐ）（２５）と同様に、オペレータは、操作端末６２の画面で、運用系ストレージプロセッサ３−１とテープストレージ装置３−１，３−２とのパスが正常であることを確認する。
【０２１２】
このように、この実施の形態では、保守対象ユニットとデイスクストレージ装置との間に、エミュレータ装置５を介在させることにより、操作端末６２からの操作及び確認動作を少なくすることができ、オペレーションの数を減少でき、作業時間の短縮及びオペレーションミスの防止に有効である。
【０２１３】
・・他の実施の形態・・
前述の実施の形態では、装置固有の識別子を、ＷＷＮとしているが、他の識別子を使用することもできる。又、１次ストレージ装置を、デイスクストレージ装置、２次ストレージ装置を、テープストレージ装置で説明したが、１次ストレージ装置を、半導体メモリストレージ装置や他のストレージ装置で構成しても良く、同様に、２次ストレージ装置を、デイスクストレージ装置や他のストレージ装置で構成しても良い。要するに、１次ストレージ装置と２次ストレージ装置との種類が異なり、その間に、１次ストレージ装置の仮想ストレージ処理を行う中継用プロセッサを設けるシステムであれば良い。
【０２１４】
同様に、ストレージプロセッサを２重化しているが、２重化しないで、単一のストレージプロセッサにも適用できる。更に、デイスクストレージ装置を、磁気デイスクストレージ装置で説明したが、光デイスク、光磁気デイスク等の他の記憶媒体を用いたストレージ装置に適用できる。
【０２１５】
（付記１）データ記憶部を有し、ホストからのアクセス要求を受け、前記記憶部にデータをリード／ライトして、ホストへ返送する１次ストレージ装置と、データ記憶部を有し、前記１次ストレージ装置からのリード／ライト要求に応じて、データ記憶部のデータをリード／ライトする２次ストレージ装置と、前記１次ストレージ装置と前記２次ストレージ装置との間に設けられ、前記１次ストレージ装置からの要求に対し、前記２次ストレージ装置に前記１次ストレージ装置のリード／ライト動作を仮想的に実行させるストレージプロセッサと、少なくとも、前記２次ストレージ装置と前記ストレージプロセッサの一方の保守対象ユニットに接続され、前記保守対象ユニットの交換前の識別子と交換後の識別子の変換を行うエミュレート装置とを有し、前記１次ストレージ装置と前記２次ストレージ装置との情報のやり取りにおいて、前記エミュレート装置が、前記保守対象ユニットの識別子の変換を行うことを特徴とするストレージシステム。
【０２１６】
（付記２）前記エミュレート装置は、前記２次ストレージ装置と前記ストレージプロセッサの一方の保守対象ユニットに接続されたことを検出し、前記保守対象ユニットの識別子を取得して格納し、前記保守対象ユニットが交換されたことを検出して、前記交換後の前記保守対象ユニットの識別子を取得し、交換前の前記識別子に対応して、前記交換後の識別子を格納することを特徴とする付記１のストレージシステム。
【０２１７】
（付記３）前記エミュレート装置は、前記１次ストレージ装置又は前記ストレージプロセッサに接続するための第１のポートと、前記保守対象ユニットに接続するための第２のポートと、交換前の前記識別子に対応して、前記交換後の識別子を格納するテーブルと、前記１次ストレージ装置と前記２次ストレージ装置との情報のやり取りにおいて、前記テーブルを参照して、前記保守対象ユニットの識別子の変換を行う処理ユニットとを有することを特徴とする付記１のストレージシステム。
【０２１８】
（付記４）前記エミュレート装置は、前記２次ストレージ装置と前記ストレージプロセッサの一方の保守対象ユニットが取り外されことを検出し、前記第１のポートから前記保守対象ユニットにアクセスする前記１次ストレージ装置又は前記ストレージプロセッサからの信号の受け付けを抑止し、前記保守対象ユニットが交換されたことを検出して、前記１次ストレージ装置又は前記ストレージプロセッサの受け付け抑止を解除することを特徴とする付記３のストレージシステム。
【０２１９】
（付記５）前記エミュレート装置は、前記２次ストレージ装置と前記ストレージプロセッサの一方の保守対象ユニットに接続されたことを検出し、前記保守対象ユニットのＷＷＮを取得して格納し、前記保守対象ユニットが交換されたことを検出して、前記交換後の前記保守対象ユニットのＷＷＮを取得し、交換前の前記ＷＷＮに対応して、前記交換後のＷＷＮを格納することを特徴とする付記２のストレージシステム。
【０２２０】
（付記６）前記１次ストレージ装置、前記２次ストレージ装置及び前記ストレージプロセッサに接続され、前記保守対象ユニットの交換前に、前記保守対象ユニットへのアクセスを抑止し、前記保守対象ユニットの交換後、前記保守対象ユニットへのアクセス抑止を解除する操作端末を更に有することを特徴とする付記１のストレージシステム。
【０２２１】
（付記７）前記２次ストレージ装置が、記憶テープをドライブするテープドライブと、前記テープドライブとテープ収容部との間で、前記記憶テープを移送するロボットを有し、前記エミュレート装置が、前記ストレージプロセッサと情報のやり取りを行う前記テープドライブ及び前記ロボットのいずれか１つに設けられたことを特徴とする付記１のストレージシステム。
【０２２２】
（付記８）前記ストレージプロセッサは、前記１次ストレージ装置とのインタフェース回路を有し、前記エミュレート装置が、前記１次ストレージ装置と情報のやり取りを行う前記インタフェース回路に設けられたことを特徴とする付記１のストレージシステム。
【０２２３】
（付記９）前記１次ストレージ装置が、デイスクストレージ装置で構成され、前記ストレージプロセッサは、前記２次ストレージ装置を仮想デイスク制御することを特徴とする付記１のストレージシステム。
【０２２４】
（付記１０）前記２次ストレージ装置が、記憶テープをドライブするテープドライブと、前記テープドライブとテープ収容部との間で、前記記憶テープを移送するロボットを有することを特徴とする付記９のストレージシステム。
【０２２５】
（付記１１）データ記憶部を有し、ホストからのアクセス要求を受け、前記記憶部にデータをリード／ライトして、ホストへ返送する１次ストレージ装置と、データ記憶部を有し、前記１次ストレージ装置からのリード／ライト要求に応じて、データ記憶部のデータをリード／ライトする２次ストレージ装置と、前記１次ストレージ装置と前記２次ストレージ装置との間に設けられ、前記１次ストレージ装置からの要求に対し、前記２次ストレージ装置に前記１次ストレージ装置のリード／ライト動作を仮想的に実行させるストレージプロセッサとを有するストレージシステムの構成部品交換処理方法であって、少なくとも、前記２次ストレージ装置と前記ストレージプロセッサの一方の保守対象ユニットに、エミュレート装置を接続し、前記保守対象部品の識別子を取得するステップと、前記保守対象部品の交換後、前記１次ストレージ装置と前記２次ストレージ装置との情報のやり取りにおいて、前記エミュレート装置により、前記保守対象ユニットの識別子の変換を行うステップとを有することを特徴とするストレージシステムの構成部品交換処理方法。
【０２２６】
（付記１２）前記取得ステップは、前記エミュレート装置が、前記２次ストレージ装置と前記ストレージプロセッサの一方の保守対象ユニットに接続されたことを検出し、前記保守対象ユニットの識別子を取得して格納するステップと、前記保守対象ユニットが交換されたことを検出して、前記交換後の前記保守対象ユニットの識別子を取得し、交換前の前記識別子に対応して、前記交換後の識別子を格納するステップとを有することを特徴とする付記１１のストレージシステムの構成部品交換処理方法。
【０２２７】
（付記１３）前記変換ステップは、前記１次ストレージ装置又は前記ストレージプロセッサに接続するための第１のポートと、前記保守対象ユニットに接続するための第２のポートと、交換前の前記識別子に対応して、前記交換後の識別子を格納するテーブルと、前記１次ストレージ装置と前記２次ストレージ装置との情報のやり取りにおいて、前記テーブルを参照して、前記保守対象ユニットの識別子の変換を行う処理ユニットとを有する前記エミュレート装置により実行するステップからなることを特徴とする付記１１のストレージシステムの構成部品交換処理方法。
【０２２８】
（付記１４）前記エミュレート装置により、前記２次ストレージ装置と前記ストレージプロセッサの一方の保守対象ユニットが取り外されことを検出し、前記第１のポートから前記保守対象ユニットにアクセスする前記１次ストレージ装置又は前記ストレージプロセッサからの信号の受け付けを抑止するステップと、前記エミュレート装置により、前記保守対象ユニットが交換されたことを検出して、前記１次ストレージ装置又は前記ストレージプロセッサの受け付け抑止を解除するステップを更に有することを特徴とする付記１３のストレージシステムの構成部品交換処理方法。
【０２２９】
（付記１５）前記取得ステップは、前記エミュレート装置が、前記２次ストレージ装置と前記ストレージプロセッサの一方の保守対象ユニットに接続されたことを検出し、前記保守対象ユニットのＷＷＮを取得して格納するステップと、前記エミュレート装置により、前記保守対象ユニットが交換されたことを検出して、前記交換後の前記保守対象ユニットのＷＷＮを取得し、交換前の前記ＷＷＮに対応して、前記交換後のＷＷＮを格納するステップを有することを特徴とする付記１２のストレージシステムの構成部品交換処理方法。
【０２３０】
（付記１６）操作端末を、前記１次ストレージ装置、前記２次ストレージ装置及び前記ストレージプロセッサに接続するステップと、前記操作端末により、前記保守対象ユニットの交換前に、前記保守対象ユニットへのアクセスを抑止するステップと、前記保守対象ユニットの交換後、前記保守対象ユニットへのアクセス抑止を解除するステップとを更に有することを特徴とする付記１１のストレージシステムの構成部品交換処理方法。
【０２３１】
（付記１７）前記取得ステップは、記憶テープをドライブするテープドライブと、前記テープドライブとテープ収容部との間で、前記記憶テープを移送するロボットを有する前記２次ストレージ装置と、前記ストレージプロセッサと情報のやり取りを行う前記テープドライブ及び前記ロボットのいずれか１つに設けられた前記エミュレート装置により実行するステップからなることを特徴とする付記１１のストレージシステムの構成部品交換処理方法。
【０２３２】
（付記１８）前記取得ステップは、前記１次ストレージ装置と情報のやり取りを行う前記ストレージプロセッサのインタフェース回路に設けられた前記エミュレート装置により実行するステップからなることを特徴とする付記１１のストレージシステムの構成部品交換処理方法。
【０２３３】
（付記１９）前記ストレージプロセッサにより、前記２次ストレージ装置を仮想デイスク制御するステップを更に有することを特徴とする付記１１のストレージシステムの構成部品交換処理方法。
【０２３４】
（付記２０）前記制御ステップは、記憶テープをドライブするテープドライブと、前記テープドライブとテープ収容部との間で、前記記憶テープを移送するロボットを有する２次ストレージ装置を仮想デイスク制御するステップからなることを特徴とする付記１９のストレージシステムの構成部品交換処理方法。
【産業上の利用可能性】
【０２３５】
階層構成のストレージシステムの保守対象ユニットの取り付け口と保守対象ユニットとの間に、保守対象ユニットの識別子をエミュレートするエミュレート装置を取り付けたので、保守対象ユニットを交換しても、ストレージシステムには、変更されたように見えないようにできる。これにより、保守対象ユニットの交換時の煩雑な設定作業がなくなり、オペレーションミスを防止できる。また、エミュレート装置を保守対象ユニットに取り付けるため、外部からのアクセスできないようなセキュリティ機構を構成することもできる。
【図面の簡単な説明】
【０２３６】
【図１】本発明の一実施形態のストレージシステムの構成図
【図２】図１のエミュレート装置の構成図
【図３】図２のエミュレート装置の初期化処理フロー図
【図４】図３の初期化動作の説明図
【図５】図２のエミュレート装置の交換前の情報伝達動作の説明図
【図６】図２のエミュレート装置の保守対象ユニット交換時の処理フロー図
【図７】図６の交換処理動作の説明図
【図８】図２のエミュレート装置の交換後の処理フロー図
【図９】図８の交換後の動作の説明図
【図１０】本発明の第２の実施の形態のストレージシステムの構成図
【図１１】本発明の第３の実施の形態のストレージシステムの構成図
【図１２】従来のストレージシステムの構成部品交換動作の説明図である。
【符号の説明】
【０２３７】
１  １次ストレージ装置
２−１．２−２  ストレージネットワーク
３  ストレージプロセッサ
４−１．４−２  ２次ストレージ装置
５  エミュレート装置
６  ホスト
３０  ホストアダプタ
４０  テープドライブ
４４  ロボット６−１，６−２，６−３  ＦＰＧＡ回路（再構成可能な回路）
５０  Ａポート
５２  Ｂポート
５４  処理ユニット
５６  ＷＷＮテーブル
６２  操作端末
【図１】
2007094578.tif 000003
【図２】
2007094578.tif 000004
【図３】
2007094578.tif 000005
【図４】
2007094578.tif 000006
【図５】
2007094578.tif 000007
【図６】
2007094578.tif 000008
【図７】
2007094578.tif 000009
【図８】
2007094578.tif 000010
【図９】
2007094578.tif 000011
【図１０】
2007094578.tif 000012
【図１１】
2007094578.tif 000013
【図１２】
2007094578.tif 000014